(57)【要約】【課題】クリーン室１と，便所等の臭気発生室２との両方を熱回収しながら換気する。【解決手段】前記クリーン室１には，外気からの給気用通路７と外気への排気用通路８との間に，その相互間で熱交換を行う熱回収用熱交換器６を設けたメイン換気装置３が，前記臭気発生室２には，外気からの給気用通路３２と外気への排気用通路３３との間に，その相互間で熱交換を行う熱回収用熱交換器３１を設けたサブ換気装置４が各々配設され，前記メイン換気装置３は，その給気用通路７による給気量が排気用通路８による排気量よりも多くするように構成されている一方，前記サブ換気装置４は，その給気用通路３２による給気量が排気用通路３３による排気量よりも少なくするように構成されている。【選択図】                            図１
2010065938.tif 000002
【特許請求の範囲】
【請求項１】
建物に形成されたクリーン室及び臭気発生室のうちクリーン室には，外気から当該クリーン室内への給気を行う給気用通路と当該クリーン室から外気への排気を行う排気用通路との間に，前記給気と前記排気の相互間で熱交換を行うように構成した熱回収用熱交換器を設けて成るメイン換気装置が配設されており，
前記クリーン室及び臭気発生室のうち臭気発生室には，外気から当該臭気発生室内への給気を行う給気用通路と当該臭気発生室から外気への排気を行う排気用通路との間に，前記給気と前記排気の相互間で熱交換を行うように構成した熱回収用熱交換器を設けて成るサブ換気装置が配設されており，
前記メイン換気装置は，その給気用通路による給気量がその排気用通路による排気量よりも多くするように構成されている一方，前記サブ換気装置は，その給気用通路による給気量がその排気用通路による排気量よりも少なくするように構成されていることを特徴とする熱交換式換気システム。
【請求項２】
前記請求項１の記載において，前記メイン換気装置には，その給気用通路に配設した給気側熱交換器と，その排気用通路に配設した排気側熱交換器と，この両熱交換器の相互間に対する冷媒の循環管路と，この循環管路中における正逆回転式圧縮機及び膨張弁とから成るメイン空調装置が設けられている一方，前記サブ換気装置には，その給気用通路に配設した給気側熱交換器と，その排気用通路に配設した排気側熱交換器と，この両熱交換器の相互間に対する冷媒の循環管路と，この循環管路中における正逆回転式圧縮機及び膨張弁とから成るサブ空調装置が設けられていることを特徴とする熱交換式換気システム。
【請求項３】
前記請求項２の記載において，前記メイン空調装置には，その給気側熱交換器及び排気側熱交換器のうち一方の熱交換器に生成した凝縮水を他方の熱交換器の外表面に散布するようにした手段が設けられている一方，前記サブ空調装置には，その給気側熱交換器及び排気側熱交換器のうち一方の熱交換器に生成した凝縮水を他方の熱交換器の外表面に散布するようにした手段が設けられていることを特徴とする熱交換式換気システム。
【発明の詳細な説明】
【技術分野】
【０００１】
本発明は，建物に形成される各種の執務室等のクリーン室と，便所等の臭気発生室との両方を，熱回収しながら換気するようにした換気システムに関するものである。
【背景技術】
【０００２】
先行技術としての特許文献１には，建物に形成されるクリーン室を，外気からの給気と外気への排出とによって換気する場合において，外気から前記クリーン室内への給気通路と，前記クリーン室内から大気への排気通路との間に，前記給気と前記排気の相互間で熱交換を行うように構成した熱回収用熱交換器を設けることにより，外気温度が前記クリーン室の温度よりも低いときには，外気からの給気を前記クリーン室からの排気によって暖める一方，外気温度が前記クリーン室の温度よりも高いときには，逆に，外気からの給気を前記クリーン室内からの排気によって冷却するようにして，熱回収することが記載されている。
【０００３】
また，前記特許文献１は，前記クリーン室に隣接して設けられる便所等の臭気発生室を，外気への強制排気によって換気することが記載されており，これによると，前記臭気発生室から前記クリーン室への臭気の漏出を確実に防止することができる状態のもとで，前記臭気発生室を換気することができる。
【特許文献１】特開平５−１８７６７５号公報
【発明の開示】
【発明が解決しようとする課題】
【０００４】
しかし，前記特許文献１に記載の構成によると，前記臭気発生室から当該臭気発生室が隣接する前記クリーン室への臭気の漏れ出しを確実に防止することができるものの，前記臭気発生室には，当該臭気発生室からの排気に伴って，この臭気発生室が隣接しているクリーン室における空気が導入され，この導入された空気はそのまま大気に排出されることになるから，前記クリーン室を換気する場合における熱回収が減少するという問題があった。
【０００５】
特に，前記便所等の臭気発生室は，一般的に建物のうち外壁に接して設けられ，外気温度の影響を強く受けることにより，この臭気発生室に前記クリーン室から導入する空気量を多くするように構成しなければならないから，前記クリーン室の換気に際しての熱回収の減少は一層に増大するのであった。
【０００６】
本発明は，これらの問題を解消した換気システムを提供することを技術的課題とするものである。
【課題を解決するための手段】
【０００７】
この技術的課題を達成するため請求項１は，
「建物に形成されたクリーン室及び臭気発生室のうちクリーン室には，外気から当該クリーン室内への給気を行う給気用通路と当該クリーン室から外気への排気を行う排気用通路との間に，前記給気と前記排気の相互間で熱交換を行うように構成した熱回収用熱交換器を設けて成るメイン換気装置が配設されており，
前記クリーン室及び臭気発生室のうち臭気発生室には，外気から当該臭気発生室内への給気を行う給気用通路と当該臭気発生室から外気への排気を行う排気用通路との間に，前記給気と前記排気の相互間で熱交換を行うように構成した熱回収用熱交換器を設けて成るサブ換気装置が配設されており，
前記メイン換気装置は，その給気用通路による給気量がその排気用通路による排気量よりも多くするように構成されている一方，前記サブ換気装置は，その給気用通路による給気量がその排気用通路による排気量よりも少なくするように構成されている。」
ことを特徴としている。
【０００８】
請求項２は，
「前記請求項１の記載において，前記メイン換気装置には，その給気用通路に配設した給気側熱交換器と，その排気用通路に配設した排気側熱交換器と，この両熱交換器の相互間に対する冷媒の循環管路と，この循環管路中における正逆回転式圧縮機及び膨張弁とから成るメイン空調装置が設けられている一方，前記サブ換気装置には，その給気用通路に配設した給気側熱交換器と，その排気用通路に配設した排気側熱交換器と，この両熱交換器の相互間に対する冷媒の循環管路と，この循環管路中における正逆回転式圧縮機及び膨張弁とから成るサブ空調装置が設けられている。」
ことを特徴としている。
【０００９】
請求項３は，
「前記請求項２の記載において，前記メイン空調装置には，その給気側熱交換器及び排気側熱交換器のうち一方の熱交換器に生成した凝縮水を他方の熱交換器の外表面に散布するようにした手段が設けられている一方，前記サブ空調装置には，その給気側熱交換器及び排気側熱交換器のうち一方の熱交換器に生成した凝縮水を他方の熱交換器の外表面に散布するようにした手段が設けられている。」
ことを特徴としている。
【発明の効果】
【００１０】
請求項１によると，建物におけるクリーン室を，メイン換気装置によって換気するに際して，外気温度が前記クリーン室の温度よりも低いときには，外気からの給気を前記クリーン室内からの排気によって暖める一方，外気温度が前記クリーン室の温度よりも高いときには，外気からの給気を前記クリーン室内からの排気によって冷却するというように熱回収することができる。
【００１１】
また，前記クリーン室に隣接して形成された臭気発生室を，サブ換気装置によって換気するに際しても，同様に，外気温度が前記臭気発生室の温度よりも低いときには，外気からの給気を前記臭気発生室内からの排気によって暖める一方，外気温度が前記臭気発生室の温度よりも高いときには，外気からの給気を前記臭気発生室内からの排気によって冷却するというように熱回収することができる。
【００１２】
この場合，前記メイン換気装置は，その給気用通路を介しての給気量がその排気用通路を介しての排気量よりも多くするように構成されているのに対し，前記サブ換気装置は，その給気用通路を介しての給気量がその排気用通路を介しての排気量よりも少なくするように構成されていることにより，前記臭気発生室における圧力を，常に，前記クリーン室内における圧力よりも低くする状態に維持することができる。
【００１３】
つまり，請求項１によると，建物における執務室等のクリーン室に隣接している便所等の臭気発生室を，当該臭気発生室から前記クリーン室への臭気の漏れを確実に阻止した状態のもとで，熱回収しながら換気することができるから，前記クリーン室における換気に際しての熱回収の低下を確実に防止できる。
【００１４】
また，請求項２によると，外気温度が高いときに，メイン空調装置及びサブ空調装置における圧縮機を，給気側熱交換器における冷媒を排気側熱交換器の方向に圧縮を行うように回転することにより，前記給気側熱交換器が蒸発器として給気からの吸熱（給気の冷却）を行う一方，前記排気側熱交換器が凝縮器として排気への放熱を行うから，前記クリーン室及び前記臭気発生室の両方を冷房に空調することができる。
【００１５】
外気温度が低いときに，前記メイン空調装置及び前記サブ空調装置における圧縮機を，排気側熱交換器における冷媒を給気側熱交換器の方向に圧縮を行うように逆回転することにより，前記排気側熱交換器が蒸発器として排気からの吸熱を行う一方，前記給気側熱交換器が凝縮器として給気への放熱（給気の加熱）を行うから，前記クリーン室及び前記臭気発生室の両方を暖房に空調することができる。
【００１６】
更にまた，請求項３によると，前記給気側熱交換器及び排気側熱交換器のうち蒸発器として作用する一方の熱交換器において結露した凝縮水が，凝縮器として作用する他方の熱交換機の外表面に散布されることにより，当該他方の熱交換機における伝熱係数がアップするから，前記した冷房及び暖房を促進することができる利点がある。
【発明を実施するための最良の形態】
【００１７】
以下，本発明の実施の形態を，図面について説明する。
【００１８】
図１〜図３は，第１の実施の形態を示す。
【００１９】
この図において，符号１は，建物の内部に例えば執務室等として形成されたクリーン室を，符号２は，前記建物の内部に便所等として形成された臭気発生室を各々示す。
【００２０】
前記クリーン室１には，メイン換気装置３が天井等の適宜箇所に配設されている一方，前記臭気発生室２には，サブ換気装置４が天井等の適宜箇所に配設されている。
【００２１】
第１の実施の形態における前記メイン換気装置３及び前記サブ換気装置４は，給気と排気との間で熱交換を行うための熱回収用熱交換器として，「熱交換素子」を使用したものである。
【００２２】
この「熱交換素子」は，従来から良く知られ，且つ，例えば，前記特許文献１及び特開２００７−３１５７１０号公報等に記載されているように，複数枚の伝熱プレートを，その間に，前記給気が流れる通路（隙間）と前記排気が流れる通路（隙間）とを交互に形成するように積層することにより，前記給気と前記排気との間で伝熱プレートを介して相互に熱交換するように構成したものであり，この熱交換素子には，熱のみを交換する顕熱交換型のものと，熱及び湿度を交換する全熱交換型のものとが含まれる。
【００２３】
図２は，前記クリーン室１に対するメイン換気装置３を，図３は，前記臭気発生室２に対するサブ換気装置４を各々示している。
【００２４】
図２に示すメイン換気装置３は，略中心の部分に前記した構成の熱交換素子６を内蔵して成るケーシング５を備え，このケーシング５内には，給気用通路７と排気用通路８とが，当該給気用通路７及び排気用通路８が前記熱交換素子６の部分において互いに交差するように形成されている。
【００２５】
前記給気用通路７には，その一端に外気からの吸入ダクト９が，他端に前記クリーン室１内への給気ダクト１０が各々接続されていることに加えて，当該給気用通路７のうち前記熱交換素子６より下流側の部位に給気フアン１１を内蔵している。
【００２６】
更に，前記給気用通路７には，前記給気ダクト１０と前記給気フアン１１の吐出側との間に部位に，給気側熱交換器１２が設けられている。
【００２７】
一方，前記排気用通路８には，その一端に前記クリーン室１からの吸入ダクト１３が，他端に外気への排気ダクト１４が各々接続されていることに加えて，当該排気用通路８のうち前記熱交換素子６より下流側の部位に排気フアン１５を内蔵している。
【００２８】
更に，前記排気用通路８には，前記給気フアン１５の吐出側と前記排気ダクト１４との間に部位に，排気側熱交換器１６が設けられている。
【００２９】
前記給気側熱交換器１２と，前記排気側熱交換器１６との相互間は，正逆回転式の圧縮機１７を備えた冷媒管路１８を介して接続されるとともに，膨張弁１９を備えた冷媒管路２０を介して接続されており，これら両熱交換器１２，１６，両冷媒管路１８，２０，圧縮機１７及び膨張弁１９にて，冷凍サイクルのメイン空調装置２１を構成している。
【００３０】
前記給気側熱交換器１２及び前記排気側熱交換器１６には，その下方にその各々において結露する凝縮水の受けタンク２２，２３が設けられていることに加えて，その各々に対する水散布ノズル２４，２５が設けられ，前記給気側熱交換器１２に対する凝縮水受けタンク２２に溜まる凝縮水を，ポンプ２６を備えた管路２７を介して前記排気側熱交換器１６に対する水散布ノズル２５に送って，この水散布ノズル２５から前記排気側熱交換器１６の外表面に散布する一方，前記排気側熱交換器１６に対する凝縮水受けタンク２３に溜まる凝縮水を，ポンプ２８を備えた管路２９を介して前記給気側熱交換器１２に対する水散布ノズル２４に送って，この水散布ノズル２４から前記給気側熱交換器１２の外表面に散布するように構成している。
【００３１】
図３に示すサブ換気装置４は，略中心の部分の前記した構成の熱交換素子３１を内蔵したケーシング３０を備え，このケーシング３０内には，給気用通路３２と排気用通路３３とが，当該給気用通路３２及び排気用通路３３が前記熱交換素子３１の部分において互いに交差するように形成されている。
【００３２】
前記給気用通路３２には，その一端に外気からの吸入ダクト３４が，他端に前記臭気発生室２内への給気ダクト３５が各々接続されていることに加えて，当該給気用通路３２のうち前記熱交換素子３１より下流側の部位に給気フアン３６を内蔵している。更に，前記給気用通路３２には，前記給気ダクト３５と前記給気フアン３６との間の部位に，給気側熱交換器３７が設けられている。
【００３３】
一方，前記排気用通路３３には，その一端に前記臭気発生室２からの吸入ダクト３８が，他端に外気への排気ダクト３９が各々接続されていることに加えて，当該排気用通路３３のうち前記熱交換素子３１より下流側の部位に排気フアン４０を内蔵している。更に，前記排気用通路３３には，前記排気フアン４０と前記排気ダクト３９との間の部位に，排気側熱交換器４１が設けられている。
【００３４】
前記給気側熱交換器３７と，前記排気側熱交換器４１との相互間は，正逆回転式の圧縮機４２を備えた冷媒管路４３を介して接続されるとともに，膨張弁４４を備えた冷媒管路４５を介して接続されており，これら両熱交換器３７，４１，両冷媒管路４３，４５，圧縮機４２及び膨張弁４４にて，冷凍サイクルのサブ空調装置４６を構成している。
【００３５】
前記給気側熱交換器３７及び前記排気側熱交換器４１には，その下方にその各々において結露する凝縮水の受けタンク４７，４８が設けられていることに加えて，その各々に対する水散布ノズル４９，５０が設けられ，前記給気側熱交換器３７に対する凝縮水受けタンク４７に溜まる凝縮水を，ポンプ５１を備えた管路５２を介して前記排気側熱交換器４１に対する水散布ノズル５０に送って，この水散布ノズル５０から前記排気側熱交換器４１の外表面に散布する一方，前記排気側熱交換器４１に対する凝縮水受けタンク４８に溜まる凝縮水を，ポンプ５３を備えた管路５４を介して前記給気側熱交換器３７に対する水散布ノズル４９に送って，この水散布ノズル４９から前記給気側熱交換器３７の外表面に散布するように構成している。
【００３６】
そして，前記メイン換気装置３においては，その給気フアン１１における風量を，その排気フアン１５における風量よりも多くすることにより，その給気用通路７を介しての給気の量がその排気用通路８を介しての排気の量よりも多くするように構成されている。
【００３７】
一方，前記サブ換気装置４においては，その排気フアン４０における風量を，その給気フアン３６における風量よりも多くすることにより，その排気用通路３３を介しての排気の量がその給気用通路３２を介しての給気の量よりも多くするように構成されている。
【００３８】
この構成において，前記クリーン室１内は，メイン換気装置３における給気用通路７を介しての給気と，排気用通路８を介しての排気とによって換気される。
【００３９】
このクリーン室１内の換気に際しての給気と排気とは，前記メイン換気装置３における熱交換素子６にて互いに熱交換し，外気温度が前記クリーン室１の温度よりも低いときには，外気からの給気を前記クリーン室１内からの排気によって暖める一方，外気温度が前記クリーン室１の温度よりも高いときには，外気からの給気を前記クリーン室１内からの排気によって冷却するというように熱回収することができる。
【００４０】
また，前記臭気発生室２内は，サブ換気装置４における給気用通路３２を介しての給気と，排気用通路３３を介しての排気とによって換気される。
【００４１】
この臭気発生室２内の換気に際しての給気と排気とは，前記サブ換気装置４における熱交換素子３１にて互いに熱交換し，外気温度が前記臭気発生室２の温度よりも低いときには，外気からの給気を前記臭気発生室２内からの排気によって暖める一方，外気温度が前記臭気発生室２の温度よりも高いときには，外気からの給気を前記臭気発生室２内からの排気によって冷却するというように熱回収することができる。
【００４２】
前記クリーン室１及び臭気発生室２の換気に際して，前記メイン換気装置３は，その給気用通路７を介しての給気量がその排気用通路８を介しての排気量よりも多くするように構成されているのに対し，前記サブ換気装置４は，その給気用通路３２を介しての給気量がその排気用通路３３を介しての排気量よりも少なくするように構成されていることにより，前記臭気発生室２における圧力を，常に，前記クリーン室１内における圧力よりも低くする状態に維持することができるから，前記臭気発生室２から前記クリーン室１への臭気の漏れを確実に阻止できる。
【００４３】
夏期等において，外気温度が前記クリーン室１及び臭気発生室２の温度よりも高いときには，前記メイン換気装置３の空調装置２１における圧縮機１７，及び前記サブ換気装置４の空調装置４６における圧縮機４２を，実線の矢印Ａで示すように，給気側熱交換器１２，３７における冷媒を排気側熱交換器１４，４１の方向に圧縮するように回転する。
【００４４】
これにより，前記給気側熱交換器１２，３７が蒸発器として作用し，給気からの吸熱（給気の冷却）を行う一方，前記排気側熱交換器１４，４１が凝縮器として作用し，排気への放熱を行うから，前記クリーン室１及び前記臭気発生室２の両方を冷房に空調することができる。
【００４５】
この場合において，蒸発器として作用する前記給気側熱交換器１２，３７の外表面に結露した凝縮水は，これらにおける凝縮水受けタンク２２，４７に集められ，凝縮器として作用する前記排気側熱交換器１６，４１の外表面に対して水散布ノズル２５，５０から散布されることになるから，前記排気側熱交換器１６，４１における伝熱係数をアップすることができる。
【００４６】
また，冬季等において，外気温度が前記クリーン室１及び臭気発生室２の温度よりも低いときには，前記メイン換気装置３の空調装置２１における圧縮機１７，及び前記サブ換気装置４の空調装置４６における圧縮機４２を，点線の矢印Ｂで示すように，排気側熱交換器１４，４１における冷媒を給気側熱交換器１２，３７の方向に圧縮するように逆回転する。
【００４７】
これにより，前記排気側熱交換器１６，４１が蒸発器として作用し，排気からの吸熱を行う一方，前記給気側熱交換器１２，３７が凝縮器として作用し，給気への放熱（給気の加熱）を行うから，前記クリーン室１及び前記臭気発生室２の両方を暖房に空調することができる。
【００４８】
この場合においても，蒸発器として作用する前記排気側熱交換器１６，４１の外表面に結露した凝縮水は，これらにおける凝縮水受けタンク２３，４８に集められ，凝縮器として作用する前記給気側熱交換器１２，３７の外表面に対して水散布ノズル２４，４９から散布されることになるから，前記給気側熱交換器１２，３７における伝熱係数をアップすることができる。
【００４９】
次に，図４〜図７は，第２の実施の形態を示す。
【００５０】
この第２の実施の形態は，前記クリーン室１に対するメイン換気装置３′及び前記臭気発生室２に対するサブ換気装置４′に，給気と排気との間で熱交換を行うための熱回収用熱交換器として，「ヒートパイプ式の熱交換器」を使用したものである。
【００５１】
この「ヒートパイプ式熱交換器」は，従来から良く知られ，且つ，図７に示すように，ヒートパイプ５５の複数本を並べて，その両端部に，複数枚の放吸熱フィン５５ａ，５５ｂを固着して成る構成にしたものである。
【００５２】
図５は，前記クリーン室１に対するメイン換気装置３′を，図６は，前記臭気発生室２に対するサブ換気装置４′を各々示している。
【００５３】
図５に示すメイン換気装置３′は，ケーシング５′を備え，このケーシング５′内には，給気用通路７′と排気用通路８′とが形成されている。
【００５４】
前記給気用通路７′には，その一端に外気からの吸入ダクト９′が，他端に前記クリーン室１内への給気ダクト１０′が各々接続されていることに加えて，当該給気用通路７′には，給気フアン１１′を内蔵している。
【００５５】
更に，前記給気用通路７′には，前記給気フアン１１′の吸い込み側と前記吸入ダクト９′との間に，前記ヒートパイプ５５における一端の放吸熱フィン５５ａと，給気側熱交換器１２′とが直列に設けられている。但し，前記放吸熱フィン５５ａは，前記給気側熱交換器１２′に対して給気流れの上流側に位置している。
【００５６】
一方，前記排気用通路８′には，その一端に前記クリーン室１からの吸入ダクト１３′が，他端に外気への排気ダクト１４′が各々接続されていることに加えて，当該排気用通路８′には，排気フアン１５′を内蔵している。
【００５７】
更に，前記排気用通路８′には，前記排気フアン１５′の吐出側と前記排気ダクト１４′との間に部位に，前記ヒートパイプ５５における他端の放吸熱フィン５５ｂと，排気側熱交換器１６′が直列に設けられている。但し，前記放吸熱フィン５５ｂは，前記排気側熱交換器１６′に対して排気流れの上流側に位置している。
【００５８】
前記給気側熱交換器１２′と，前記排気側熱交換器１６′との相互間は，正逆回転式の圧縮機１７′を備えた冷媒管路１８′を介して接続されるとともに，膨張弁１９′を備えた冷媒管路２０′を介して接続されており，これら両熱交換器１２′，１６′，両冷媒管路１８′，２０′，圧縮機１７′及び膨張弁１９′にて，冷凍サイクルのメイン空調装置２１′を構成している。
【００５９】
前記給気側熱交換器１２′及び前記排気側熱交換器１６′には，その下方にその各々において結露する凝縮水の受けタンク２２′，２３′が設けられていることに加えて，その各々に対する水散布ノズル２４′，２５′が設けられ，前記給気側熱交換器１２′に対する凝縮水受けタンク２２′に溜まる凝縮水を，ポンプ２６′を備えた管路２７′を介して前記排気側熱交換器１６′に対する水散布ノズル２５′に送って，この水散布ノズル２５′から前記排気側熱交換器１６′の外表面に散布する一方，前記排気側熱交換器１６′に対する凝縮水受けタンク２３′に溜まる凝縮水を，ポンプ２８′を備えた管路２９′を介して前記給気側熱交換器１２′に対する水散布ノズル２４′に送って，この水散布ノズル２４′から前記給気側熱交換器１２′の外表面に散布するように構成している。
【００６０】
図６に示すサブ換気装置４′は，ケーシング３０′を備え，このケーシング３０′内には，給気用通路３２′と排気用通路３３′とが形成されている。
【００６１】
前記給気用通路３２′には，その一端に外気からの吸入ダクト３４′が，他端に前記クリーン室１内への給気ダクト３５′が各々接続されていることに加えて，当該給気用通路３２′には，給気フアン３６′を内蔵している。更に，前記給気用通路３２′には，前記給気フアン３６′の吸い込み側と前記吸入ダクト３４′との間に，前記ヒートパイプ５５における一端の放吸熱フィン５５ａと，給気側熱交換器３７′とが直列に設けられている。但し，前記放吸熱フィン５５ａは，前記給気側熱交換器３７′に対して給気流れの上流側に位置している。
【００６２】
一方，前記排気用通路３３′には，その一端に前記クリーン室１からの吸入ダクト３８′が，他端に外気への排気ダクト３９′が各々接続されていることに加えて，当該排気用通路３３′には，排気フアン４０′を内蔵している。更に，前記排気用通路３３′には，前記排気フアン４０′の吐出側と前記排気ダクト３９′との間に部位に，前記ヒートパイプ５５における他端の放吸熱フィン５５ｂと，排気側熱交換器４１′が直列に設けられている。但し，前記放吸熱フィン５５ｂは，前記排気側熱交換器４１′に対して排気流れの上流側に位置している。
【００６３】
前記給気側熱交換器３７′と，前記排気側熱交換器４１′との相互間は，正逆回転式の圧縮機４２′を備えた冷媒管路４３′を介して接続されるとともに，膨張弁４４′を備えた冷媒管路４５′を介して接続されており，これら両熱交換器３７′，４１′，両冷媒管路４３′，４５′，圧縮機４２′及び膨張弁４４′にて，冷凍サイクルのサブ空調装置４６′を構成している。
【００６４】
前記給気側熱交換器３７′及び前記排気側熱交換器４１′には，その下方にその各々において結露する凝縮水の受けタンク４７′，４８′が設けられていることに加えて，その各々に対する水散布ノズル４９′，５０′が設けられ，前記給気側熱交換器３７′に対する凝縮水受けタンク４７′に溜まる凝縮水を，ポンプ５１′を備えた管路５２′を介して前記排気側熱交換器４１′に対する水散布ノズル５０′に送って，この水散布ノズル５０′から前記排気側熱交換器４１′の外表面に散布する一方，前記排気側熱交換器４１′に対する凝縮水受けタンク４８′に溜まる凝縮水を，ポンプ５３′を備えた管路５４′を介して前記給気側熱交換器３７′に対する水散布ノズル４９′に送って，この水散布ノズル４９′から前記給気側熱交換器３７′の外表面に散布するように構成している。
【００６５】
そして，前記メイン換気装置３′においては，その給気フアン１１′における風量を，その排気フアン１５′における風量よりも多くすることにより，その給気用通路７′を介しての給気の量がその排気用通路８′を介しての排気の量よりも多くするように構成されている。
【００６６】
一方，前記サブ換気装置４′においては，その排気フアン４０′における風量を，その給気フアン３６′における風量よりも多くすることにより，その排気用通路３３′を介しての排気の量がその給気用通路３２′を介しての給気の量よりも多くするように構成されている。
【００６７】
この構成において，前記クリーン室１内は，メイン換気装置３′における給気用通路７′を介しての給気と，排気用通路８′を介しての排気とによって換気される。
【００６８】
このクリーン室１内の換気に際しての給気と排気とは，前記メイン換気装置３′におけるヒートパイプ５５にて互いに熱交換し，外気温度が前記クリーン室１の温度よりも低いときには，外気からの給気を前記クリーン室１内からの排気によって暖める一方，外気温度が前記クリーン室１の温度よりも高いときには，外気からの給気を前記クリーン室１内からの排気によって冷却するというように熱回収することができる。
【００６９】
また，前記臭気発生室２内は，サブ換気装置４′における給気用通路３２′を介しての給気と，排気用通路３３′を介しての排気とによって換気される。
【００７０】
この臭気発生室２内の換気に際しての給気と排気とは，前記サブ換気装置４′におけるヒートパイプ５５にて互いに熱交換し，外気温度が前記臭気発生室２の温度よりも低いときには，外気からの給気を前記臭気発生室２内からの排気によって暖める一方，外気温度が前記臭気発生室２の温度よりも高いときには，外気からの給気を前記臭気発生室２内からの排気によって冷却するというように熱回収することができる。
【００７１】
前記クリーン室１及び臭気発生室２の換気に際して，前記メイン換気装置３′は，その給気用通路７′を介しての給気量がその排気用通路８′を介しての排気量よりも多くするように構成されているのに対し，前記サブ換気装置４′は，その給気用通路３２′を介しての給気量がその排気用通路３３′を介しての排気量よりも少なくするように構成されていることにより，前記臭気発生室２における圧力を，常に，前記クリーン室１内における圧力よりも低くする状態に維持することができるから，前記臭気発生室２から前記クリーン室１への臭気の漏れを確実に阻止できる。
【００７２】
夏期等において，外気温度が前記クリーン室１及び臭気発生室２の温度よりも高いときには，前記メイン換気装置３′の空調装置２１′における圧縮機１７′，及び前記サブ換気装置４′の空調装置４６′における圧縮機４２′を，実線の矢印Ａ′で示すように，給気側熱交換器１２′，３７′における冷媒を排気側熱交換器１４′，４１′の方向に圧縮するように回転することにより，前記クリーン室１及び前記臭気発生室２の両方を冷房に空調することができる。
【００７３】
この場合において，蒸発器として作用する前記給気側熱交換器１２′，３７′の外表面に結露した凝縮水は，凝縮器として作用する前記排気側熱交換器１６′，４１′の外表面に散布されることになるから，前記排気側熱交換器１６′，４１′における伝熱係数をアップすることができる。
【００７４】
また，冬季等において，外気温度が前記クリーン室１及び臭気発生室２の温度よりも低いときには，前記メイン換気装置３′の空調装置２１′における圧縮機１７′，及び前記サブ換気装置４′の空調装置４６′における圧縮機４２′を，点線の矢印Ｂ′で示すように，排気側熱交換器１４′，４１′における冷媒を給気側熱交換器１２′，３７′の方向に圧縮するように逆回転することにより，前記クリーン室１及び前記臭気発生室２の両方を暖房に空調することができる。
【００７５】
この場合においても，蒸発器として作用する前記排気側熱交換器１６′，４１′の外表面に結露した凝縮水は，凝縮器として作用する前記給気側熱交換器１２′，３７′の外表面に対して散布されることになるから，前記給気側熱交換器１２′，３７′における伝熱係数をアップすることができる。
【００７６】
なお，本発明における熱回収用熱交換器としては，前記した熱交換素子６又はヒートパイプ５５とすることに限らず，外気の排気との間で熱交換を行うものであれば，その他の構成の熱回収用熱交換器が使用できることはいうまでもない。
【図面の簡単な説明】
【００７７】
【図１】第１の実施の形態を示す平面図である。
【図２】第１の実施の形態におけるメイン換気装置の縦断正面図である。
【図３】第１の実施の形態におけるサブ換気装置の縦断正面図である。
【図４】第２の実施の形態を示す平面図である。
【図５】第２の実施の形態におけるメイン換気装置の縦断正面図である。
【図６】第２の実施の形態におけるサブ換気装置の縦断正面図である。
【図７】第２の実施の形態に使用するヒートパイプを示す斜視図である。
【符号の説明】
【００７８】
１                クリーン室
２                臭気発生室
３，３′          メイン換気装置
６                熱交換素子（熱回収用熱交換器）
７，７′          給気用通路
８，８′          排気用通路
１１，１１′      給気フアン
１５，１５′      排気フアン
１２，１２′      給気側熱交換器
１６，１６′      排気側熱交換器
１７，１７′      冷媒の圧縮機
１９，１９′      膨張弁
２１，２１′      メイン空調装置
２２，２２′      凝縮水受けタンク
２３，２３′      凝縮水受けタンク
２４，２４′      散布ノズル
２５，２５′      散布ノズル
４，４′          サブ換気装置
３２，３２′      給気用通路
３３，３３′      排気用通路                                                    ３６，３６′      給気フアン
４０，４０′      排気フアン
３７，３７′      給気側熱交換器
４１，４１′      排気側熱交換器
４２，４２′      冷媒の圧縮機
４４，４４′      膨張弁
４６，４６′      サブ空調装置
４７，４７′      凝縮水受けタンク
４８，４８′      凝縮水受けタンク
４９，４９′      散布ノズル
５０，５０′      散布ノズル
５５              ヒートパイプ（熱回収用熱交換器）
５５ａ，５５ｂ    ヒートパイプの放吸熱フィン
【図１】
2010065938.tif 000003
【図２】
2010065938.tif 000004
【図３】
2010065938.tif 000005
【図４】
2010065938.tif 000006
【図５】
2010065938.tif 000007
【図６】
2010065938.tif 000008
【図７】
2010065938.tif 000009